(57)【特許請求の範囲】
【請求項１】
対象個人に関する個人データ及び個人別の所定数の提供情報が組み合わされた提供情報組合せデータに基づいて、当該対象個人毎の提供情報を印刷して個別冊子を作製するための冊子印刷処理システムであって、
予め各提供情報に対応するファイルのファイル名、及び当該ファイルの印刷の大きさを示す頁情報が少なくとも関連付けられている提供情報データテーブルを備え、入力される前記個人データ及び提供情報組合せデータに基づいて、当該対象個人及びこれに対応する提供情報を特定し、上記提供情報データテーブルより該当提供情報のファイル名を特定して個別データファイルを作成する対象特定処理手段と、
提供情報ファイル作成手段及び編集処理手段を少なくとも備え、前記作成された個別データファイルに基づいて、前記提供情報データテーブルで特定した該当提供情報の頁情報の印刷の大きさに基づき頁付けを行い、当該頁情報と前記対応の提供情報のファイル名とによりレイアウト編集を行ってレイアウト情報を生成して提供情報ファイルを作成する当該作成された総ての提供情報ファイルを個人別に応じて編集して、少なくとも、印刷する提供情報に対応するファイル名及びそのレイアウト情報、並びに対象個人に関するデータ及びそのレイアウト情報を含む印刷ファイルを作成するファイル編集処理手段と、
前記ファイル名に対応した前記提供情報に関するデータが印刷データとしてそれぞれ格納された記憶手段と、
前記印刷ファイルに応じて、当該印刷ファイルのファイル名に対応した前記提供情報に関するデータの印刷データを前記記憶手段より読み込んでレイアウト情報に基づいて印刷処理を行うと共に、当該印刷ファイルの対象個人に関するデータをレイアウト情報に基づいて印刷処理する印刷処理手段と、
を有することを特徴とする冊子印刷処理システム。
【請求項２】
請求項１記載の冊子印刷処理システムであって、前記ファイル編集処理手段は、前記個別データファイル及び前記頁情報に基づいて、少なくとも対象個人の情報を特定すると共に、当該頁情報により印刷の大きさに基づき目次情報を生成し、これらをレイアウト編集して表紙ファイルを作成する表紙ファイル作成手段を備え、当該表紙ファイルが前記編集処理手段で作成される印刷ファイルに含まれることを特徴とする冊子印刷処理システム。
【請求項３】
請求項１または２に記載の冊子印刷処理システムであって、前記提供情報組合せデータ及び個人データの他に、個人別の対象提供情報に対する固有データが入力されるもので、前記ファイル編集処理手段は、前記個別データファイル中の固有データに基づいてグラフを作成し、当該グラフを印刷させるためのグラフ印刷ファイルを作成するグラフファイル作成手段を備え、当該グラフ印刷ファイルが前記編集処理手段で作成される印刷ファイルに含まれることを特徴とする冊子印刷処理システム。
【発明の詳細な説明】
【０００１】
【発明の属する技術分野】
本発明は、顧客毎の冊子を作製するに際して顧客毎に対応したデータを編集して印刷させるための冊子印刷処理システムに関する。
【０００２】
【従来の技術】
近年、例えば個人対象の通信教育が盛んになってきており、そのカリキュラムは各事業体毎にそれぞれ異なるが、対象個人毎のカリキュラムや進捗状況に応じたテキスト（冊子）を作製して配送することが一般的に行われている。そのため、テキストを個人別毎に作製する場合のデータ処理の効率化、作製費用の低減が望まれている。
【０００３】
従来、例えば個人対象の通信教育で使用されるテキスト（冊子）は、１点一葉のものを作製する場合として、当該冊子の各頁を印刷（印字）しておき、対象個人毎の選択情報に基づいて各頁を手作業で選択し、製本を行う手法がとられている。例えば、各情報毎（枚葉印刷毎）の印刷データ（例えばＰＤＦ（Ｐｏｒｔａｂｌｅ  Ｄｏｃｕｍｅｎｔ  Ｆｏｒｍａｔ）ファイルのような印刷イメージ）がプリンタに伝送され、この印刷データに基づいて、各個人向け毎にオフセット等で印刷（印字）した表紙群と、別に当該各個人向け毎にそれぞれの情報内容をオフセット等で印刷（印字）した各紙葉の紙葉群が必要数用意される。
【０００４】
そして、用意された表紙群と紙葉群から、各個人に対応したリスト（選択情報）に基づいて各表紙（各個人向け）とそれに対応した紙葉を手作業にて選択して丁合することで当該個人対象毎の冊子を作製している。
【０００５】
【発明が解決しようとする課題】
しかしながら、各表紙及び各紙葉を印刷（印字）させる印刷データ（印刷イメージ）をプリンタに伝送させることから、データ伝送から印刷（印字）終了までに時間を要し、大量の印刷（印字）を行う場合に効率的でなく、また、上記のように各表紙及び各紙葉を別々に印刷（印字）し、各個人別毎に手作業で丁合させることから冊子作製が効率的でないという問題がある。
【０００６】
そこで、本発明は上記課題に鑑みなされたもので、個人別毎の冊子作製におけるデータ処理の効率化を図り、人手を介さずに冊子作製のための印刷処理の効率化を図る冊子印刷処理システム及びこれにより作製される冊子を提供することを目的とする。
【０００７】
【課題を解決するための手段】
上記課題を解決するために、請求項１の発明では、対象個人に関する個人データ及び個人別の所定数の提供情報が組み合わされた提供情報組合せデータに基づいて、当該対象個人毎の提供情報を印刷して個別冊子を作製するための冊子印刷処理システムであって、予め各提供情報に対応するファイルのファイル名、及び当該ファイルの印刷の大きさを示す頁情報が少なくとも関連付けられている提供情報データテーブルを備え、入力される前記個人データ及び提供情報組合せデータに基づいて、当該対象個人及びこれに対応する提供情報を特定し、上記提供情報データテーブルより該当提供情報のファイル名を特定して個別データファイルを作成する対象特定処理手段と、提供情報ファイル作成手段及び編集処理手段を少なくとも備え、前記作成された個別データファイルに基づいて、前記提供情報データテーブルで特定した該当提供情報の頁情報の印刷の大きさに基づき頁付けを行い、当該頁情報と前記対応の提供情報のファイル名とによりレイアウト編集を行ってレイアウト情報を生成して提供情報ファイルを作成する当該作成された総ての提供情報ファイルを個人別に応じて編集して、少なくとも、印刷する提供情報に対応するファイル名及びそのレイアウト情報、並びに対象個人に関するデータ及びそのレイアウト情報を含む印刷ファイルを作成するファイル編集処理手段と、前記ファイル名に対応した前記提供情報に関するデータが印刷データとしてそれぞれ格納された記憶手段と、前記印刷ファイルに応じて、当該印刷ファイルのファイル名に対応した前記提供情報に関するデータの印刷データを前記記憶手段より読み込んでレイアウト情報に基づいて印刷処理を行うと共に、当該印刷ファイルの対象個人に関するデータをレイアウト情報に基づいて印刷処理する印刷処理手段と、を有する構成とする。
【０００８】
請求項２，３の発明では、「前記ファイル編集処理手段は、前記個別データファイル及び前記頁情報に基づいて、少なくとも対象個人の情報を特定すると共に、当該頁情報により印刷の大きさに基づき目次情報を生成し、これらをレイアウト編集して表紙ファイルを作成する表紙ファイル作成手段を備え、当該表紙ファイルが前記編集処理手段で作成される印刷ファイルに含まれる」構成であり、
「前記提供情報組合せデータ及び個人データの他に、個人別の対象提供情報に対する固有データが入力されるもので、前記ファイル編集処理手段は、前記個別データファイル中の固有データに基づいてグラフを作成し、当該グラフを印刷させるためのグラフ印刷ファイルを作成するグラフファイル作成手段を備え、当該グラフ印刷ファイルが前記編集処理手段で作成される印刷ファイルに含まれる」構成である。
【００１０】
このように、入力される提供情報組合せデータに基づき、各提供情報に対応するファイルのファイル名、及び当該ファイルの印刷の大きさを示す頁情報が少なくとも関連付けられている提供情報データテーブルより提供情報のファイル名を特定して、入力される各個人データに対応した個別データファイルを作成し、各個別データファイルに基づいて、提供情報データテーブルで特定した該当提供情報の頁情報の印刷の大きさに基づき頁付けを行い、当該頁情報と前記対応の提供情報のファイル名とによりレイアウト編集を行ってレイアウト情報を生成して提供情報ファイルを作成する当該作成された総ての提供情報ファイルを個人別に応じて編集して、印刷する提供情報に対応するファイル名とレイアウト情報及び個人データとレイアウト情報を含む印刷ファイルを作成する。この印刷ファイルに基づいてファイル名から記憶手段より対応の提供情報を読み出して個人データ及びそれらのレイアウト情報で個別毎の印刷処理を行わせる。すなわち、印刷処理手段にはファイル名、対象個人を特定した印刷ファイルを送出することから、送出データが軽量化され、個人別毎の冊子作製におけるデータ処理の効率化を図ることが可能となり、また、印刷ファイルにより人手を介さずに冊子作製のための印刷処理の効率化を図ることが可能となるものである。
【００１１】
【発明の実施の形態】
以下、本発明の好ましい実施形態を図により説明する。ここで示す実施形態は、例えば通信教育において顧客としての各個人毎に提供情報である教材を特定した冊子を作製する場合に適用させた場合を示すものであるが、個人別毎に異なる情報を提供するに際して冊子を作製する金融関係等においても適用することができるものである。
【００１２】
図１に、本発明に係る冊子印刷処理システムのブロック構成図を示す。図１に示す冊子印刷処理システム１１は、図示しない統括的な制御手段の他に、少なくとも、教材特定手段１２、個別特定手段１３、教材データテーブル、ファイル編集処理手段である個別印刷ファイル編集手段１５、印刷手段１６及び記憶手段である教材印刷データベース（ＤＢ）１７を備える。ここで、教材特定手段１２、個別特定手段１３及び教材データテーブル１４により対象特定処理手段を構成し、印刷手段１６及び教材印刷ＤＢ１７により印刷処理手段を構成する。
【００１３】
また、本冊子印刷処理システム１１には、少なくとも教材組合せデータ１８及び個人データ１９が入力され、適宜固有データとしての個人別成績データ２０が入力される。上記各データは、冊子を作製するために必要な、または付加的なデータとして作成されたものである。すなわち、詳細は図３で説明するが、教材組合せデータ１８には氏名データ（適宜識別情報（ＩＤ）を含む）、教材である問題、解答に関するデータが所定数組み合わされた教材データ、アドバイスなどの付加情報の付加データを含む。また、個人データ１９は、少なくとも氏名データ（適宜ＩＤを含む）、住所データを含み、適宜保護者名データ、表紙タイトルデータを含む。また、個人別成績データ２０は、氏名データ（適宜ＩＤを含む）、該当問題の成績（点数）データを含み、適宜各問題の全体平均値のデータを含む。
【００１４】
上記教材データテーブル１４は、予め教材（問題、解答）に対応するファイルのファイル名、及び当該ファイルの頁情報が少なくとも記憶される（図３で説明する）。説明順番は相前後するが、教材特定手段１２は入力される上記教材組合せデータ１８に基づいて対象個人に対応した組み合わされた各教材を特定し、上記個別特定手段１３は、上記個人データ１９に基づいて、当該対象個人を特定して個別データファイルを作成する。
【００１５】
上記個別印刷ファイル編集手段１５は、詳細な構成は図２で説明するが、作成された個別データファイルに基づき、少なくとも、印刷する教材に対応するファイル名及びそのレイアウト情報、並びに対応個人に関するデータ及びそのレイアウト情報を含む印刷ファイルを作成する。また、上記教材印刷ＤＢ１７は、各ファイル名に対応した教材（問題、解答）に関するデータが印刷データとしてそれぞれ格納されたもので、上記印刷手段１６が印刷ファイルに応じて、当該印刷ファイルのファイル名に対応した印刷データを教材印刷ＤＢ１７より読み込んでレイアウト情報に基づいて印刷処理を行うと共に、当該印刷ファイルの対応個人に関するデータをレイアウト情報に基づいて印刷処理する。
【００１６】
ここで、図２に、図１の個別印刷ファイル編集手段のブロック構成図を示す。図２において、個別印刷ファイル編集手段１５は、個別データファイル取得手段２１、頁情報生成手段２２、教材情報編集手段２３、教材ファイル作成手段２４、宛名情報抽出手段２５、目次編集手段２６、表紙情報編集手段２７、表紙ファイル作成手段２８、グラフ作成手段２９、グラフファイル作成手段３０、編集手段３１、印刷ファイル作成手段３２及びバッファ手段３３を含んで構成される。なお、編集手段３１、印刷ファイル作成手段３２及びバッファ手段３３で編集処理手段が構成される。
【００１７】
上記個別データファイル取得手段２１は、上記個別特定手段１３で作成された個別データファイルを入力して取得する。上記頁情報生成手段２２は、上記個別データファイルに基づいて、教材データテーブル１４で特定した該当教材の頁情報を生成する。上記教材情報編集手段２３は、当該頁情報と上記対応の教材のファイルに応じたレイアウト編集を行う。そして、教材ファイル作成手段２３が当該レイアウト編集された当該教材の印刷情報としての教材ファイルを作成する。
【００１８】
上記宛名情報抽出手段２５は、上記個別データファイルに基づいて対応個人の宛名を抽出して特定する。目次編集手段２６は、上記頁情報生成手段２２で生成した頁情報により編集して目次情報を生成する。上記表紙情報編集手段２７は、対応個人の宛名情報及び生成した目次情報に基づいてこれらをレイアウト編集する。そして、表紙ファイル作成手段２８は、上記レイアウト編集された表紙部分の印刷情報としての表紙ファイルを作成する。
【００１９】
上記グラフ作成手段２９は、上記個別データファイル中の固有データに基づいてグラフを作成する。そして、上記グラフファイル作成手段３０が作成された当該グラフを印刷させるためのグラフ印刷ファイルを作成する。
【００２０】
また、上記編集手段３１は、上記作成された教材ファイル、表紙ファイル及びグラフ印刷ファイルを各個人別毎に応じて編集し、上記印刷ファイル作成手段３２がそれぞれ個人別毎の印刷ファイルを作成する。そして、バッファ手段３３は、印刷ファイル手段３２で作成された個人別毎の印刷ファイルを順次バッファして上記印刷手段１６に送出する。なお、印刷ファイルの作成にあたり、個人別毎ではなく、各個人に対応した印刷情報で一の印刷ファイルを構成させる場合には、上記バッファ手段３３は不要である。
【００２１】
そこで、図３に、本発明の冊子印刷処理システムにおける教材組合せデータ、個別データ、個別成績データ、個別データファイル、教材データテーブルの説明図を示す。図３（Ａ）は、図１に示す教材組合せデータ１８の概念を示したもので、各氏名と共にＩＤが列挙され、各個人に対応したＡ〜Ｚ教材（それぞれの問題、解答）のうち何れの教材を印刷対象とするかを例えば教材名で特定し、各個人に固有の付加情報（例えばアドバイス）を適宜付加した形態とする。
【００２２】
図３（Ｂ）は、図１の個人データ１９の概念を示したもので、各氏名と共にＩＤが列挙され、各個人に対応した住所を特定し、各個人に固有の付加情報（例えば保護者名、図示しない表紙タイトル名、表紙情報）を適宜付加した形態とする。なお、適宜電話番号等の情報を付加させてもよい。図３（Ｃ）は、図１の個人別成績データ２０の概念を示したもので、各氏名と共にＩＤが列挙され、各個人が以前に行った問題の解答結果の点数を表記し、図示しないが付加情報として平均点を適宜付加した形態とする。
【００２３】
図３（Ｄ）は、図１の教材データテーブル１４の概念を示したもので、各Ａ〜Ｚ教材（各問題と各解答）に対応したファイル名と頁情報が関連付けられた形態とされる。このファイル名に対応する内容は上記教材印刷ＤＢ１７（図４で説明する）にその印刷の大きさで印刷データとして格納されているもので、この印刷の大きさが上記頁情報となる。図において頁情報が「１」では、１頁全体の大きさ、「１／２」では、半頁の大きさを意味する。この頁情報に基づいて目次編集や冊子の頁付けが自動的（演算）に行われるものである。
【００２４】
図３（Ｅ）は、上記個別特定手段１３で作成される個別データファイルの概念を示したもので、上記教材組合せデータ１８、個人データ１９及び個人別成績データ２０に基づいて、各氏名と共にＩＤが列挙され、各個人に対応した教材（問題、解答）のファイル名、教材の成績の点数、付加情報、住所及び適宜保護者名が付加された形態であり、例えば各氏名、ＩＤに対して教材（問題、解答）、成績、付加情報、住所、保護者名がディレクトリ構造で作成される。
【００２５】
また、図４に、教材印刷ＤＢに格納されている印刷データの概念図を示す。図４において、図１に示す教材印刷ＤＢ１７は、例えばＡ問題が１頁大のファイル名「ａｑ＊＊＊＊」、Ａ解答が半頁大のファイル名「ａａ＊＊＊＊」等、Ａ〜Ｚの問題、解答が所定頁大のファイル名に応じたそれぞれの印刷データとして格納されるものである。この場合、印刷データとは、例えばビットマップデータ、ＰＤＦデータまたはポストスクリプト（ＰＳ）フォント等の形式である。なお、印刷データがＰＳフォントの場合には、ページ記述のファイルとしてファイル名が付されて格納される。
【００２６】
続いて、図５に表紙印刷形態の概念説明図を示すと共に、図６に教材印刷形態の概念説明図を示す。図５（Ａ）、（Ｂ）は、作製される冊子の表紙５１の印刷形態を示したもので、折線５２で折ったときに表裏全４頁分となる場合を示している。図５（Ａ）に示すように、例えば表紙１頁目には、冊子作製の事業体名が予め印刷されると共に、タイトルが表記される領域５３や適宜表紙情報等を表記する領域５４等がレイアウト情報として定められ、表紙情報の編集において表記内容が個別データファイル４１に基づいて割り当てられる。
【００２７】
また、例えば表紙４頁目には、氏名（ＩＤ）及び住所等が表記される領域５５がレイアウト情報として定められてこれらに関する内容が個別データファイル４１に基づいて割り当てられる。さらに、図５（Ｂ）に示すように、例えば表紙２頁目には、目次が印刷される領域５６がレイアウト情報として定められ、上記目次編集手段２６で編集された内容が表記されるものである。
【００２８】
一方、図６（Ａ）、（Ｂ）は、上記表紙５１の第２、３頁目間に丁合されるもので、対応の教材が表裏に印刷される紙葉６１，６２の印刷形態を示してある。すなわち、各紙葉６１，６２に印刷される指定されたファイル名の教材の印刷大に応じて頁内配分がなされ、レイアウト情報として上記印刷ファイルに付加されて対応位置に指定教材が印刷される。また、図６（Ｃ）は、上記個人別成績データ２０に基づいて作成された成績表グラフが表記される紙葉６３の印刷形態を示してある。なお、上記各紙葉６１〜６３の頁情報の付加は、上記個別印刷ファイル編集手段１５の頁情報生成手段２２で割り振られて行われる。上記の表紙５１に各紙葉６１〜６３が丁合され、綴じられて対応個人の冊子となるものである。
【００２９】
次に、図７に、本発明の冊子印刷処理システムの全体フローチャートを示す。図７において、まず、図１に示す教材特定手段１２及び個別特定手段１３で入力される教材組合せデータ１８、個人データ１９及び個人別成績データ２０を取得する（ステップ（Ｓ）１）。教材特定手段１２では、教材組合せデータ中の各教材（問題、解答）を、教材データテーブル１４を参照して当該教材のファイル名、頁情報を取得する（Ｓ２）。そして、個別特定手段１３において、上記取得した各個人別毎のデータをまとめて個別データファイル４１を作成する（Ｓ３）。
【００３０】
個別印刷ファイル編集手段１５では、作成された個別データファイル４１に基づいて、各個人別毎に、該当の教材データ等を編集して印刷する教材に対応するファイル名及びそのレイアウト情報、並びに対応個人に関するデータ及びそのレイアウト情報を含む印刷ファイルを作成する（Ｓ４）。そして、作成された印刷ファイルに基づき、指定された教材のファイル名で該当の印刷データを教材印刷ＤＢ１７より読み出して各個人の個別情報と共に上記表紙５１及び紙葉６１〜６３を印刷するものである（Ｓ５）。
【００３１】
続いて、図８に本システムにおける教材ファイル作成及び表紙ファイル作成のフローチャートを示すと共に、図９に本システムにおけるグラフ作成ファイル及び印刷ファイル作成のフローチャート示す。図８（Ａ）は、教材ファイル作成のフローチャートであり、まず、個別データファイル取得手段２１で個別データファイル４１を個別特定手段１３より取得する（Ｓ１１）。取得した個別データファイル４１に基づき、頁情報生成手段２２において教材データテーブル１４を参照して該当の教材に関するファイル名及び頁情報を取得し、これに基づいて上記各紙葉６１〜６３の頁付けの演算を行う（Ｓ１２）。
【００３２】
また、教材情報編集手段２３において、個人別毎に個別データファイル４１中の教材（問題、解答）に対応するファイル情報、付加情報に対応するテキスト情報を各頁に割り当てて編集し（Ｓ１３）、教材ファイル作成手段２４で印刷のための個人別毎の教材ファイルを作成し（Ｓ１４）、総ての各個人別毎に教材ファイルを作成する（Ｓ１５）。
【００３３】
図８（Ｂ）は、表紙ファイル作成のフローチャートであり、まず、宛名情報抽出手段２５が個別データファイルを取得すると共に、目次編集手段２６が頁情報生成手段２２で生成した頁情報を取得する（Ｓ２１）。宛名情報抽出手段２５では、個別データファイル４１中の個人データより宛名に関する情報を抽出し（Ｓ２２Ａ）、目次編集手段２６が取得した頁情報に基づいて上記表紙５１の目次領域５６に印刷する目次を編集する（Ｓ２２Ｂ）。
【００３４】
また、表紙情報編集手段２７では、個別データファイル４１中の表紙に関する情報（タイトル、付加情報、氏名、住所等）と、上記宛名情報、目次情報に基づいて表紙情報を各個人別毎に編集し（Ｓ２３）、表紙ファイル作成手段２８で印刷のための個人別毎の表紙ファイルを作成し（Ｓ２４）、総ての各個人別毎に表紙ファイルを作成する（Ｓ２５）。
【００３５】
図９（Ａ）は、個人別成績表のグラフ作成のフローチャートであり、まず、グラフ作成手段２９において個別データファイル４１を取得し（Ｓ３１）、当該個別データファイル４１中の個人別成績データを抽出することにより（Ｓ３２）、当該個人別成績データに基づいて各個人別毎にグラフを作成する（Ｓ３３）。このグラフ作成にあたり、付加情報として平均値のデータが付加されている場合には、平均グラフをも含めたグラフとする。なお、作成されるグラフは、グラフデータとしてグラフファイル作成手段３０に送出される。そして、グラフファイル作成手段３０において、印刷のための個人別毎のグラフ印刷ファイルを作成し（Ｓ３４）、総ての各個人別毎にグラフ印刷ファイルを作成する（Ｓ３５）。
【００３６】
図９（Ｂ）は、印刷ファイル作成のフローチャートであり、まず、編集手段３１において、総ての表紙ファイル、総ての教材ファイル、総てのグラフ印刷ファイルを取得して各個人別毎に編集する（Ｓ４１）。印刷ファイル作成手段３２では、編集された個人別毎の表紙ファイル、教材ファイル、グラフ印刷ファイルに基づいて各個人別毎の個別印刷ファイルを作成し（Ｓ４２）、これを順次バッファ手段３３にバッファリングしていく（４３）。総ての個別印刷ファイルがバッファ手段３３のバッファされたときに（Ｓ４４）、印刷手段１６に送出する（Ｓ４５）。なお、印刷手段１６への個別印刷ファイルの送出を、総ての個別印刷ファイルが格納されてから行わずに、各個別印刷ファイル毎に順次行ってもよい。
【００３７】
ところで、上記教材ファイル、表紙ファイル、印刷ファイルを各個人別毎に作成させる場合を示したが、個人別毎でなくそれぞれを一にまとめた一の教材ファイル、一の表紙ファイル、一の印刷ファイルとして作成してもよい。
【００３８】
このように、上記印刷手段１６には各教材のファイル名、対象個人を特定した印刷ファイルを送出することから、送出データが軽量化され、個人別毎の冊子作製におけるデータ処理の効率化を図ることができるものである。また、上記のように作成された印刷ファイルにより各個人別毎の表紙５１、対応の教材（問題、解答等）の紙葉６１〜６３を順次印刷させることから、人手を介さずに冊子を作製させることができ、印刷処理の効率化を図ることができるものである。
【００３９】
なお、上記実施形態は本システムを通信教育において各個人毎の提供情報である教材を特定した冊子を作製する場合に適用させた場合を示したが、上述のように個人別毎に異なる情報を提供するに際して冊子を作製する金融関係等においても適用することができるものである。
【００４０】
【発明の効果】
以上のように請求項１の発明によれば、入力される提供情報組合せデータに基づき、提供情報データテーブルより提供情報のファイル名を特定して、入力される各個人データに対応した個別データファイルを作成し、各個別データファイルに基づいて、提供情報データテーブルで特定した該当提供情報の頁情報の印刷の大きさに基づき頁付けを行い、当該頁情報と前記対応の提供情報のファイル名とによりレイアウト編集を行ってレイアウト情報を生成して提供情報ファイルを作成する当該作成された総ての提供情報ファイルを個人別に応じて編集して、印刷する提供情報に対応するファイル名とレイアウト情報及び個人データとレイアウト情報を含む印刷ファイルを作成し、この印刷ファイルに基づいてファイル名から記憶手段より対応の提供情報を読み出して個人データ及びそれらのレイアウト情報で個別毎の印刷処理を行わせることにより、個人別毎の冊子作製におけるデータ処理の効率化を図ることができ、人手を介さずに冊子作製のための印刷処理の効率化を図ることができるものである。
【００４１】
請求項２，３の発明によれば、ファイル編集処理手段で印刷ファイルを作成するに際して、目次ファイル、表紙ファイル、グラフ印刷ファイルを作成して適宜組み合わせ各個人別毎に応じて編集して当該印刷ファイルを作成することにより、上記同様に、個人別毎の冊子作製におけるデータ処理、印刷処理の効率化が図られるものである。
【図面の簡単な説明】
【図１】本発明に係る冊子印刷処理システムのブロック構成図である。
【図２】図１の個別印刷ファイル編集手段のブロック構成図である。
【図３】本発明の冊子印刷処理システムにおける教材組合せデータ、個別データ、個別成績データ、個別データファイル、教材データテーブルの説明図である。
【図４】教材印刷ＤＢに格納されている印刷データの概念図である。
【図５】表紙印刷形態の概念説明図である。
【図６】教材印刷形態の概念説明図である。
【図７】本発明の冊子印刷処理システムの全体フローチャートである。
【図８】本システムにおける教材ファイル作成及び表紙ファイル作成のフローチャートである。
【図９】本システムにおけるグラフ作成ファイル及び印刷ファイル作成のフローチャートである。
【符号の説明】
１１                          冊子印刷処理システム
１２                          教材特定手段
１３                          個別特定手段
１４                          教材データテーブル
１５                          個別印刷ファイル編集手段
１６                          印刷手段
１７                          教材印刷ＤＢ（データベース）
１８                          教材組合せデータ
１９                          個人データ
２０                          個人別成績データ
２２                          頁情報生成手段
２４                          教材ファイル作成手段
２６                          目次編集手段
２８                          表紙ファイル作成手段
３０                          グラフファイル作成手段
３１                          編集手段
３２                          印刷ファイル作成手段
４１                          個別データファイル
５１                          表紙
【図１】
0004493178.tif 000002
【図２】
0004493178.tif 000003
【図３】
0004493178.tif 000004
【図４】
0004493178.tif 000005
【図５】
0004493178.tif 000006
【図６】
0004493178.tif 000007
【図７】
0004493178.tif 000008
【図８】
0004493178.tif 000009
【図９】
0004493178.tif 000010